(57)【要約】【課題】  液晶表示パネルとバックライトユニットの構成部品の固定と位置合わせが簡便にでき、液晶表示パネルやバックライトユニットの構成部品のリペア性の要求にも対応できるフレームケースを提供する。【解決手段】  フレームケース１に形成された凹部４を構成する一対の端壁８、９のうちの第１端壁８には、該端壁８の延在方向を分断する開口部１０を形成し、前記開口部１０により分断された前記端壁８の開口部側端部にそれぞれ、前記凹部４内へ突出させるようにして連設され、前記凹部４に収納された液晶表示パネル２の側面に当接して前記液晶表示パネル２を第２端壁９側へ押圧するように作用するばね部材１１を形成する。【選択図】      図１
2005241823.tif 000002
【特許請求の範囲】
【請求項１】
液晶表示パネルを収納する凹部が形成されたフレームケースにおいて、
前記凹部は、底壁と、一対の側壁と、一対の端壁とに囲繞されて構成され、前記一対の端壁のうちの第１端壁には、該端壁を延在方向において分断する開口部が形成されており、前記開口部により分断された前記端壁の開口部側端部には、それぞれ前記凹部内へ突出させるようにして連設され、前記凹部に収納された前記液晶表示パネルの側面に当接して前記液晶表示パネルを第２端壁側へ押圧するように作用するばね部材が形成されていることを特徴とするフレームケース。
【請求項２】
前記ばね部材には、前記凹部に収納された前記液晶表示パネルの最上面に当接して前記液晶表示パネルを凹部内に係止するように作用するフックが形成されている請求項１に記載のフレームケース。
【請求項３】
前記第２端壁には、前記凹部に収納された前記液晶表示パネルの最上面に当接して前記液晶表示パネルを凹部内に係止するように作用する係止部が形成されている請求項１または２に記載のフレームケース。
【発明の詳細な説明】
【技術分野】
【０００１】
本発明は、液晶表示装置において、液晶表示パネルを簡単且つ確実に収納するためのフレームケースに関する。
【背景技術】
【０００２】
一対の透明基板間に液晶を封止してなり、前記一対の透明基板の所定の部分に選択的に電界を与えて特定の図形や文字等の情報を表示する液晶表示パネルが内蔵された液晶表示装置が、携帯電話やＰＤＡ（Personal Digital Assistant）等の表示装置として多く用いられている。
【０００３】
このような液晶表示装置は、例えば当該液晶表示装置のフレームケース内に、電気回路系等を組み込んだ液晶表示パネルを、その表示領域が前記フレームケー右の上面に位置するようにして配設させるとともに、前記液晶表示パネルの反視認側にバックライトユニットを配置させた構成とされている。
【０００４】
前記フレームケースは、液晶表示パネルやバックライトユニットの構成部品を収納する凹部が形成された筐体とされており、前記凹部内には液晶表示パネルおよびバックライトユニットが貼着され、固定された状態で収納されている。
【０００５】
ここで、前記バックライトユニットは、入射面から内部へ入射した光を前記液晶表示パネルの表示領域に向う平面光として照射する導光板、前記導光板の裏面から漏れる光を前記導光板に反射させて戻すための反射フィルム、前記導光板から照射される光を拡散させるための拡散フィルム、輝度を上昇させるための２枚の光学フィルムおよびＬＥＤやＣＣＴ（冷陰極蛍光管）などの光源から構成されている。
【０００６】
詳しくは、前記フレームケースの凹部の底壁上面には前記反射フィルムが遮光性の両面テープによって固着されて収納されている。そして、前記反射フィルムの上面には前記導光板、前記導光板の上面には拡散フィルム、前記拡散フィルムの上面には２枚の光学フィルムがそれぞれ積層され、それぞれの部品間に介在させた枠状の遮光性の両面テープによって貼着された状態で、前記バックライトユニットを構成し、前記凹部内に収納されている。また、前記バックライトユニットの上面には前記液晶表示パネルが積層され、枠状の遮光性の両面テープによって貼着された状態で、同じく前記凹部内に収納されている。
【０００７】
そして、前記光源は前記バックライトユニット外に配設される回路基板から電極端子を通じて供給される電力によって発光し、前記光源から発光される照射光は、前記導光板により面光源として機能し、前記液晶表示パネルに均一に照射光を照射するように構成されている。
【０００８】
また、前記液晶表示パネルは、互いに対向する面に透明電極が形成された一対の透明基板を、これらの透明基板の周辺部に塗布されたシール材により一体に貼り合わせ、これら各透明基板の間にギャップ材や液晶を注入密封した後、各透明基板の外側面に偏光板を貼着することにより構成されている。
【０００９】
【特許文献１】特開平１１−２３１２９０号公報
【特許文献２】特開２００２−３２８６１９号公報
【発明の開示】
【発明が解決しようとする課題】
【００１０】
このように、従来の液晶表示装置においてはバックライトユニットの構成部品や液晶表示パネルは遮光性の両面テープにより１部品ずつ貼着されていたため、貼り合わせ作業が煩雑であり、しかも、一旦、両面テープで貼着してフレームケースに収納してしまうと、貼着にズレが生じた部品や、製品として欠陥がある部品等を交換することができないという、リペア性に関する問題点があった。
【００１１】
そこで、本発明は、液晶表示パネルの前記凹部内における固定が簡便にでき、前記液晶表示パネルやバックライトユニットの構成部品のリペア性の要求にも対応できるフレームケースを提供することを目的とする。
【課題を解決するための手段】
【００１２】
前述した目的を達成するため、本発明のフレームケースは、液晶表示パネルを収納する凹部が形成されたフレームケースにおいて、前記凹部は、底壁と、一対の側壁と、一対の端壁とに囲繞されて構成され、前記一対の端壁のうちの第１端壁には、該端壁を延在方向において分断する開口部が形成されており、前記開口部により分断された前記端壁の開口部側端部にはそれぞれ、前記凹部内へ突出させるようにして連設され、前記凹部に収納された前記液晶表示パネルの側面に当接して前記液晶表示パネルを第２端壁側へ押圧するように作用するばね部材が形成されている点を特徴とする。
【００１３】
そして、前記ばね部材には、前記凹部に収納された前記液晶表示パネルの最上面に当接して前記液晶表示パネルを凹部内に係止するように作用するフックが形成されており、さらに、前記第２端壁には、前記凹部に収納された前記液晶表示パネルの最上面に当接して前記液晶表示パネルを凹部内に係止するように作用する係止部が形成されている。
【発明の効果】
【００１４】
本発明のフレームケースによれば、前記ばね部材は、前記凹部を構成する第１端壁の開口部側端部から凹部内へ突出させるようにして形成されている。よって、前記凹部に前記液晶表示パネルおよび前記バックライトユニットを収納する際には、前記ばね部材の有するばね性を利用して、前記ばね部材を当該フレームケースの凹部外方向へ撓ませながら前記液晶表示パネルおよび前記バックライトユニットを前記凹部に嵌合させるようにする。このとき、前記液晶表示パネルおよび前記バックライトユニットの一側面を前記ばね部材に当接させつつ、前記ばね部材を当該フレームケースの凹部外方向へ押し出すことで、前記ばね部材を撓ませることができる。
【００１５】
そして、前記凹部内に前記液晶表示パネルおよび前記バックライトユニットを収納した後は、前記ばね部材は、弾性復元力によって再び前記フレームケースの凹部内へ戻るように作用し、前記凹部に収納された液晶表示パネルおよびバックライトユニットの側面に当接し、前記液晶表示パネルおよびバックライトユニットを前記第１端壁に対向する第２端壁側へ押圧することとなる。
【００１６】
このように、本発明のフレームケースによれば、前記液晶表示パネルやバックライトユニットの各構成部品を、両面テープを用いずに単に積層させた状態であっても、前記凹部に簡単に収納することができ、しかも、前記液晶表示パネルやバックライトユニットを前記凹部内において一対の端壁間に挟持しつつ、適正な位置に位置合わせすることができる。
【００１７】
また、前記凹部から前記液晶表示パネルやバックライトユニットの構成部品を取り出す際には、前記ばね部材を、前記ばね部材の有するばね性を利用して再び当該フレームケースの凹部外方向へ撓ませ、前記第１端壁に対向する第２端壁側へ向かう押圧力を解除した状態で取り出すようにする。
【００１８】
このように、本発明のフレームケースによれば、前記凹部から前記液晶表示パネルやバックライトユニットを簡単に取り出すことができ、前記液晶表示パネルやバックライトユニットの構成部品のリペアの要求に対応することが可能となる。
【００１９】
また、前記ばね部材に形成されたフックや、前記第２端壁に形成された係止部は、前記凹部内の最上層に積層されて収納された前記液晶表示パネルの上面に当接することで、前記液晶表示パネルおよびバックライトユニットを前記凹部内に係止し、さらには底壁側へ押圧するように作用する。
【００２０】
よって、前記液晶表示パネルおよびバックライトユニットを前記凹部内において前記底壁との間に挟んだ状態で保持することができる。
【００２１】
このように、本発明のフレームケースによれば、フレームケースへの液晶表示パネルとバックライトユニットの収納や、これらの部品の交換などの作業が簡便になリ、また、これらの部品の固定手段として両面テープを用いることもないので、リペア性も良くなる。また、前記ばね部材は、液晶表示パネルなどの部品が、その外形寸法を多少増減して作製されたような場合であっても、前記ばね部材のばね性により前記部品の寸法誤差を吸収し、フレームケース（モジュール）の外形寸法には影響させない等の効果を奏する。
【発明を実施するための最良の形態】
【００２２】
本実施形態のフレームケースは、少なくとも液晶表示パネルを構成部品とする液晶表示装置において、前記液晶表示パネルを固定して積層させるためのフレームケースである。
【００２３】
本実施形態のフレームケース１は、図１に示すように、前記液晶表示パネル２とほぼ同じ大きさの平面形状とされ、底壁５の中央部に開口部５ａを有する略四角枠状とされており、その上面には、前記液晶表示パネル２およびバックライトユニット３の構成部品を収納する凹部４が形成されている。前記凹部４内には液晶表示パネル２と導光板等のバックライトユニット３の構成部品が収納されており、前記バックライトユニット３の光源（図示せず）は前記フレームケース外で前記底壁の下方に配設する構成とされていてもよい。
【００２４】
更に詳しくは、前記凹部４は、底壁５、前記底壁５における周縁部の一側辺に立設された第１側壁６、前記第１側壁６と対向させるようにして周縁部の他側辺に立設された第２側壁７、前記底壁５における周縁部の一端辺に立設された第１端壁８、および前記第１端壁８と対向させるようにして周縁部の他端辺に立設された第２端壁９により囲繞された空間部とされている。
【００２５】
本実施形態においては、前記凹部４を構成する一対の端壁のうちの第１端壁８の延在方向中央部分には、前記第１端壁８を延在方向において分断する切欠き状の開口部１０が形成されている。そして、分断された前記第１端壁８の前記開口部１０側の端部にはそれぞれ、前記凹部４に収納された液晶表示パネル２およびバックライトユニット３の構成部品の側面に当接してこれらを前記第１端壁８に対向する第２端壁９側へ押圧するように作用するばね部材１１が、前記凹部４内へ突出させた状態で連設されている。
【００２６】
さらに説明を加えれば、前記ばね部材１１は、図２に示すように、前記凹部４を構成する底壁５とは連接されておらず、前記開口部１０の両側に立設された第１端壁１１の端部に連接されることで、十分な撓み量のばね性が付与されている。また、本実施形態において、前記ばね部材１１は前記開口部１０の仮想中央ライン（図１中、破線で示す）を基準として左右対称に位置するように前記第１端壁８に一体形成されている。
【００２７】
そして、前記各ばね部材１１は、前記凹部４に前記液晶表示パネル２およびバックライトユニット３の構成部品を収納する際には、そのばね性を利用して、前記第１端壁８との接続部位を基点として当該フレームケース１の凹部４外方向へ撓んで、前記液晶表示パネル２および前記バックライトユニット３の構成部品を収納可能な前記凹部４の空間部を確保する。そして、前記凹部４内に前記液晶表示パネル２および前記バックライトユニット３の構成部品を収納した後は、前記ばね部材１１は、弾性復元力によって、前記凹部４に収納された液晶表示パネル２およびバックライトユニット３の構成部品の側面に当接して、前記液晶表示パネル２およびバックライトユニット３の構成部品を前記第１端壁８に対向させて立設されている第２端壁９側へ押圧するように作用して、前記液晶表示パネル２およびバックライトユニット３の構成部品を前記一対の端壁８、９間に挟んで固定するように形成されている。
【００２８】
また、本実施形態のフレームケース１においては、図１および図２に示すように、前記各ばね部材１１の可動先端部における内壁上部には、前記凹部４の上方へ延出する小片状のフック１２が形成されている。前記フック１２は、前記凹部４に液晶表示パネル２およびバックライトユニット３等の所定の点数の部品が積層して収納された状態において、前記凹部４に収納された最上面に位置する前記液晶表示パネル２の上面に当接し、前記凹部４に積層して収納された前記液晶表示パネル２およびバックライトユニット３を前記凹部４内に係止するように作用する。さらに好ましくは、底壁５側へ押圧するように作用して、これらの各部品を前記底壁５との間に挟んで固定するように形成されている。
【００２９】
そして、本実施形態のフレームケース１は、図１に示すように、前記第２端壁９の延在方向中央部分にも切欠き状の開口部１３が形成されており、前記凹部４に収納する液晶表示パネル２の端子接続部（図示せず）に電気的に接続される外部接続配線基板１４の導出口として作用するように構成されている。
【００３０】
また、前記第２端壁９には、前記凹部４の上方へ延出する小片状の係止部１５が形成されており、前記凹部４に液晶表示パネル２およびバックライトユニット３などの所定の点数の部品が積層して収納された状態において、前記凹部４に収納された最上面に位置する前記液晶表示パネル２の上面に当接し、前記凹部４に積層して収納された前記液晶表示パネル２およびバックライトユニット３の構成部品を前記凹部４内に係止するように作用する。さらに好ましくは、底壁５側へ押圧するように作用して、これらの各部品を前記底壁５との間に挟んで固定するように形成されている。
【００３１】
なお、図１および図３に示す本実施形態においては、前記係止部１５を、前記第２端壁９と、前記第２端壁９に直交する両側壁６、７により形成される両コーナー部に形成した場合を示している。このように前記係止部１５が形成されたフレームケース１においては、前記第２端壁９、第２端壁９に直交する両側壁６、７、前記係止部１５および凹部４の底壁５により囲繞されてポケット状とされた部分に、前記凹部４に積層して収納される前記液晶表示パネル２およびバックライトユニット３のコーナ部を嵌合させ、前記液晶表示パネル２およびバックライトユニット３を前記凹部４内の所定位置に位置合わせすることが可能となる。
【００３２】
なお、前記フレームケース１は、例えば、ポリカーボネート、ＡＢＳ樹脂などの樹脂素材を射出成型することなどにより、底壁５、一対の端壁８、９、一対の側壁６、７、係止部１５、フック１２が形成されたばね部材１１等の各部位が一体に形成されているものとする。
【００３３】
次に、このように構成されたフレームケース１の作用と効果を説明する。
【００３４】
本実施形態のフレームケース１の前記凹部４に前記液晶表示パネル２および前記バックライトユニット３を収納する際には、前記液晶表示パネル２およびバックライトユニット３の必要な構成部品を重ね合わせ、前記外部接続配線基板１４を第２端壁９側へ導出させるようにしてセットする。
【００３５】
この状態で、図４（Ａ）に示すように、前記液晶表示パネル２およびバックライトユニット３の構成部品の右端側を、前記液晶表示パネル２およびバックライトユニット３の構成部品の一側面を前記一対の側壁６、７の内壁に沿わせた状態で、前記凹部４内の前記第１端壁８の近傍に位置させる。
【００３６】
そして、図４（Ｂ）に示すように、前記液晶表示パネル２およびバックライトユニット３の構成部品の右端側を前記ばね部材１１に当接させ、図４（Ｂ）中の矢印Ａに示す方向に前記ばね部材１１を当該フレームケース１の凹部外方向へ押し出すように撓ませながら押圧する。そして、前記液晶表示パネル２および前記バックライトユニット３の構成部品を収納可能な前記凹部４の空間部を十分に確保したら、前記液晶表示パネル２および前記バックライトユニット３の構成部品を前記凹部４に嵌合させるべく、図４（Ｂ）中の矢印Ｂに示すように、左端側を底壁５方向へ押し込む。
【００３７】
このようにして前記凹部４内に前記液晶表示パネル２および前記バックライトユニット３の構成部品が収納されると、図４（Ｃ）中の矢印Ａ’に示すように、前記ばね部材１１は弾性復元力によって再び前記フレームケース１の凹部内へ戻るように作用して、前記凹部４に収納された液晶表示パネル２およびバックライトユニット３の構成部品の側面に当接し、前記液晶表示パネル２およびバックライトユニット３の構成部品を前記第２端壁９側へ押圧するように作用する。
【００３８】
これにより、図４（Ｃ）中の矢印Ｂ’に示すように、前記第２端壁９、第２端壁９に直交する両側壁６、７、前記係止部１５および凹部４の底壁５により囲繞されてポケット状とされた部分に、前記凹部４に積層して収納される前記液晶表示パネル２およびバックライトユニット３の構成部品のコーナ部を嵌合させることができる。
【００３９】
そして、前記ばね部材１１に形成されたフック１２や、前記第２端壁９に形成された係止部１５は、前記凹部４内の最上層に積層されて収納された前記液晶表示パネル２の上面に当接することで、図４（Ｃ）中の矢印Ｂ’、Ｃに示すように、前記液晶表示パネル２およびバックライトユニット３の構成部品を凹部４内に係止し、さらには底壁５側へ押圧するように作用する。よって、前記液晶表示パネル２およびバックライトユニット３の構成部品を前記凹部４内において前記底壁５との間に挟んだ状態で保持することができる。なお、図５には、図４（Ｃ）の平面図を示す。
【００４０】
このように、本発明のフレームケース１によれば、前記液晶表示パネル２やバックライトユニット３の構成部品を両面テープを用いずに単に積層させた状態であっても、前記凹部４に簡単に収納することができ、しかも、前記液晶表示パネル２やバックライトユニット３の構成部品を前記凹部４内において一対の端壁８、９間に挟持して適正な位置に位置合わせすることができる。
【００４１】
また、前述のように左右対称にそれぞれ独立させて配設された前記ばね部１１は、液晶表示パネル２などの部品が、その外形寸法を多少増減して作製されたような場合であっても、前記ばね部材１１のばね性により部品の寸法誤差を吸収するので、前記液晶表示パネル２などの部品の外形に幅広く順応することができる。例えば、外形寸法を異ならせた複数種の液晶表示パネル２であっても、１つのフレームケース１を利用することができる。
【００４２】
そして、前記凹部４から前記液晶表示パネル２やバックライトユニット３の構成部品を取り出す際には、前記ばね部材１１を、前記ばね部材１１の有するばね性を利用して再び当該フレームケース１の凹部４の外方向へ撓ませ、前記第２端壁９側へ向かう押圧力を解除した状態で取り出すようにする。
【００４３】
このように、本発明のフレームケースによれば、前記凹部４から前記液晶表示パネル２やバックライトユニット３の構成部品を簡単に取り出すことができ、前記液晶表示パネル２やバックライトユニット３の構成部品のリペア性の要求に対応することが可能となる。
【００４４】
なお、本発明は、本実施形態に限定されるものではなく、必要に応じて種々の変更が可能である。
【００４５】
例えば、本実施形態においては、前記フレームケースは、前記液晶表示パネルとほぼ同じ大きさの平面形状とされた略四角枠状のフレームケースである場合をもって説明したが、例えば、反射型の液晶表示パネルに用いるような場合には、底壁に開口部が形成されていない筐体のフレームケースであってもよい。
【図面の簡単な説明】
【００４６】
【図１】本実施形態のフレームケースの構造を示す平面図
【図２】本実施形態のフレームケースにおけるばね部材とフックを示す要部拡大図
【図３】本実施形態のフレームケースにおける係止部を示す要部拡大図
【図４】（Ａ）は本実施形態のフレームケースの凹部に液晶表示パネルおよびバックライトユニットを収納する際の最初の手順を示す説明図、（Ｂ）は次の手順と前記フレームケースの構成から生じる作用を示す説明図、（Ｃ）は前記フレームケースの構成から生じる作用を示す説明図
【図５】本実施形態のフレームケースと凹部に収納される液晶表示パネルおよびバックライトユニットの構成部品の位置関係、およびフレームケースの構成から生じる作用を模式的に示す平面図（図４（Ｃ）の平面図）
【符号の説明】
【００４７】
１  フレームケース
２  液晶表示パネル
３  バックライトユニット
４  凹部
５  底壁
６  第１側壁
７  第２側壁
８  第１端壁
９  第２端壁
１０  開口部
１１  ばね部材
１２  フック
１３  開口部
１４  外部接続配線基板
１５  係止部
【図１】
2005241823.tif 000003
【図２】
2005241823.tif 000004
【図３】
2005241823.tif 000005
【図４】
2005241823.tif 000006
【図５】
2005241823.tif 000007